(57)【要約】【課題】調整可能なダンベル組立体を提供する。【解決手段】本考案のダンベル組立体は、ベース１０と、第１のダンベル３と、第１のキャッチと、第２のキャッチとを含む。ベース１０は、第１の空間および第２の空間１１を含む。第１のダンベル３は、ベース１０の第１の空間および第２の空間１１に係合される第１のウェイトおよび第２のウェイト３０と、ボアを有し、第１のウェイトおよび第２のウェイト３０の間に係合されるハンドル４０と、ハンドル４０のボアに係合され、第１のウェイトおよび第２のウェイト３０と係合可能な第１のキャッチおよび第２のキャッチとを含む。第１のスライドおよび第２のスライドがベース１０に係合される。ノブが第１のスライドおよび第２のスライドと係合される。【選択図】図１
0003225432.tif 000002
【実用新案登録請求の範囲】
【請求項１】
ベース（１０）と、第１のダンベル（３）と、第１のキャッチ（４６）と、第２のキャッチ（４７）とを含むダンベル組立体であって、
前記ベース（１０）は、第１の空間および第２の空間（１１）を含み、
前記第１のダンベル（３）は、前記ベース（１０）の前記第１の空間および第２の空間（１１）に係合される第１のウェイトおよび第２のウェイト（３０）と、ボア（４１）を有し、前記第１のウェイトおよび第２のウェイト（３０）の間に係合されるハンドル（４０）と、前記ハンドル（４０）の前記ボア（４１）に係合され、前記第１のウェイトおよび第２のウェイト（３０）と係合可能な第１のキャッチおよび第２のキャッチ（４６、４７）とを含み、
第１のスライドおよび第２のスライド（８０、８１）が前記ベース（１０）に係合され、
ノブ（８５）が前記第１のスライドおよび第２のスライド（８０、８１）と係合されることを特徴とするダンベル組立体。
【請求項２】
前記第１のスライドおよび第２のスライド（８０、８１）はそれぞれラック（８３、８４）を含み、前記ノブ（８５）は前記第１のスライドおよび第２のスライド（８０、８１）の前記ラック（８３、８４）と係合するホイール（８６）を含み、前記第１のスライドおよび第２のスライド（８０、８１）はそれぞれ突起（８２）を含む、請求項１に記載のダンベル組立体。
【請求項３】
前記ハンドル（４０）は端部（４２）に設けられた２つのハウジング（４３）を含み、前記第１のスライドおよび第２のウェイト（３０）はそれぞれ２つの突出部（３１）を含み、前記ハウジング（４３）は前記突出部（３１）と係合するための２つのダブテールスロット（４３０、６３０）をそれぞれ含み、前記第１のキャッチおよび第２のキャッチ（４６、４７）は、それぞれ延長部（７０）を含む、請求項１に記載のダンベル組立体。
【請求項４】
第１のプレートおよび第２のプレート（５０）を含む第２のダンベル（５）と、前記第１のプレートおよび第２のプレート（５０）間に係合された第２のハンドル（６０）と、前記第２のハンドル（６０）に係合された第１のラッチおよび第２のラッチ（６６、６７）とをさらに含み、前記第２のハンドル（６０）は、前記第１のプレートおよび第２のプレート（５０）と係合するための２つの第２のハウジング（６３）を含む、請求項１に記載のダンベル組立体。
【考案の詳細な説明】
【技術分野】
【０００１】
実用新案は、調整可能なダンベル組立体に関する。
【背景技術】
【０００２】
典型的な調整可能なダンベル組立体は、２つの延長トラックと共に重さを調整可能に固定される多数のウェイトを含む。
【考案の概要】
【考案が解決しようとする課題】
【０００３】
しかしながら、延長トラックは、ウェイトと係合するために、ハンドルに対して移動される必要がある。
【課題を解決するための手段】
【０００４】
本考案は、ベース（１０）と、第１のダンベル（３）と、第１のキャッチ（４６）と、第２のキャッチ（４７）とを含むダンベル組立体である。
ベース（１０）は、第１の空間および第２の空間（１１）を含む。
第１のダンベル（３）は、ベース（１０）の第１の空間および第２の空間（１１）に係合される第１のウェイトおよび第２のウェイト（３０）と、ボア（４１）を有し、第１のウェイトおよび第２のウェイト（３０）の間に係合されるハンドル（４０）と、ハンドル（４０）のボア（４１）に係合され、第１のウェイトおよび第２のウェイト（３０）と係合可能な第１のキャッチおよび第２のキャッチ（４６、４７）とを含む。
第１のスライドおよび第２のスライド（８０、８１）がベース（１０）に係合される。
ノブ（８５）が第１のスライドおよび第２のスライド（８０、８１）と係合される。
【図面の簡単な説明】
【０００５】
【図１】一実施形態によるダンベル組立体の斜視図である。
【図２】一実施形態によるダンベル組立体の斜視図である。
【図３】一実施形態によるダンベル組立体の斜視図である。
【図４】一実施形態によるダンベル組立体の部分拡大斜視図である。
【図５】一実施形態によるダンベル組立体の部分拡大斜視図である。
【図６】一実施形態によるダンベル組立体の部分分解斜視図である。
【図７】一実施形態によるダンベル組立体の部分分解斜視図である。
【図８】一実施形態によるダンベル組立体の部分分解斜視図である。
【図９】一実施形態によるダンベル組立体の部分分解斜視図である。
【図１０】一実施形態によるダンベル組立体の部分分解斜視図である。
【図１１】一実施形態によるダンベル組立体の部分分解断面図である。
【図１２】一実施形態によるダンベル組立体の部分分解断面図である。
【考案を実施するための形態】
【実施例】
【０００６】
（一実施形態）
図１〜５を参照すると、ダンベル組立体は、第１のダンベル３および第２のダンベル５の各ウェイト３０および各ウェイトプレート５０と係合するための１つまたは複数の空間１１と、底部に取り付けられたカバー１３と、ベース１０（図６〜８、１０）に形成され、チャンバ１２およびベース１０の空間１１と連通する１つまたは複数の（４つなどの）溝１４とを含む支持ベース１０を備える。
【０００７】
第１のダンベル３、第２のダンベル５は、それぞれが内側部分（図６、９）に形成されたダブテール３１または突起５１を有する２つ以上のウェイト３０またはプレート５０と、突起３１、５１と係合し、ウェイト３０およびプレート５０を一緒に固定するための２つのダブテールスロット３２、５２とを外側部分（図１〜３、６）に含む。
【０００８】
ウェイト３０およびプレート５０はそれぞれ、互いに位置合わせされたキーホール３３、５３と、ウェイト３０またはプレート５０の各キーホール３３、５３内のシート３４、５４とを含む。
【０００９】
第１のダンベル３、第２のダンベル５はそれぞれ、２つのウェイト３０のグループと２つのプレート５０のグループとの間に係合し、それぞれがボア４１、６１（図５、６、９）を有し、端部４２、６２に２つのハウジング４３、６３を有する中央ハンドル４０、６０を含み、ハンドル４０、６０のボア４１、６１はハウジング４３、６３を貫通して形成される。
【００１０】
各ハウジング４３、６３は、ウェイト３０のキーホール３３、５３およびプレート５０と整合するために外側部分に形成されたキーホール４４、６４（図６、９）と、ハウジング４３、６３の各キーホール４４、６４の下部に形成されたシート４５、６５とを含む。ハンドル４０、６０がウェイト３０とプレート５０との間に係合すると、ハウジング４３、６３のキーホール４４、６４は、ウェイト３０のキーホール３３、５３およびプレート５０と整列する。
【００１１】
ハウジング４３、６３はそれぞれ、ウェイト３０およびプレート５０の内側部分で突起３１、５１と係合し、ウェイト３０およびプレート５０をハンドル４０、６０のハウジング４３、６３に固定するために、外側部分に形成された２つのダブテールスロット４３０、６３０（図６、９）を含む。
【００１２】
第１のダンベル３、第２のダンベル５はそれぞれ、ハンドル４０、６０のボア４１、６１に係合し、ハウジング４３、６３のキーホール４４、６４、３３、５３およびウェイト３０およびプレート５０に係合し、必要な数のウェイト３０およびプレート５０をハンドル４０、６０のハウジング４３、６３又は端部４２、６２に取り付けるための２つのキャッチ４６、４７およびラッチ６６、６７（図２〜６）を含む。
【００１３】
キャッチ４６、４７およびラッチ６６、６７はそれぞれ、ハウジング４３、６３およびウェイト３０およびプレート５０のキーホール４４、６４、３３、５３に係合可能な延長部７０（図２〜６）と、延長部７０に固定されたフォロワ７１と、キャッチ４６、４７とラッチ６６、６７との間に係合されたばね７２と、ハンドル４０、６０およびウェイト３０およびプレート５０（図２〜５、９〜１２）のシート４５、６５、３４、５４に係合するようにばね付勢フォロワ７１を付勢し、キャッチ４６、４７およびラッチ６６、６７をハウジング４３、６３およびウェイト３０およびプレート５０に固定するための延長部７０（図２〜５、９〜１２）とを含む。
【００１４】
ハンドル４０、６０がウェイト３０およびプレート５０（図１１）から分離されると、ばね７２はキャッチ４６、４７およびラッチ６６、６７をハンドル４０、６０に固定するために、ハンドル４０、６０のシート４５、６５と係合するようにフォロワ７１を付勢することができる。
【００１５】
ハンドル４０、６０および必要な数のウェイト３０およびプレート５０がベース１０から係合解除されると（図１２）、ばね７２はキャッチ４６、４７およびラッチ６６、６７をウェイト３０およびプレート５０に固定するために、フォロワ７１を付勢してウェイト３０のシート３４、５４およびプレート５０と係合させることができる。
【００１６】
２つのスライド８０、８１はベース１０（図７〜８）に係合され、それぞれがフォロワ７１（図２〜５）と係合し、フォロワ７１をハンドル４０、６０のシート４５、６５、３４、５４およびウェイト３０およびプレート５０のシート４５、６５、３４、５４から係合解除し、キャッチ４６、４７およびラッチ６６、６７をハウジング４３、６３およびウェイト３０のキーホール４４、６４、３３、５３およびプレート５０を通して移動させるための、ベース１０の溝１４（図６、９〜１０）に係合する２つの突起８２を含む。
【００１７】
ハンドル４０、６０、必要数のウェイト３０、板５０をベース１０（図１０、１２）から分離させると、ばね７２は、フォロワ７１がシート４５、６５、３４、５４のハンドル４０、６０、ウェイト３０、およびキャッチ４６、４７、およびラッチ６６、６７をウェイト３０およびプレート５０に固定するためのシート５０に従属させる。
【００１８】
スライド８０、８１はそれぞれラック８３、８４（図７、８）を含み、ノブ８５はラック８３、８４と係合するホイール８６を含み、スライド８０、８１を互いに対して移動させ、キャッチ４６、４７およびラッチ６６、６７を移動させて、必要な数のウェイト３０およびプレート５０を突起８２と係合させる。
【００１９】
駆動部材８７は、スライド８０、８１を互いに対して移動させるようにホイール８６を駆動するためにホイール８６に連結されてもよい。
【００２０】
ベース１０はベース１０の溝１４の横に配置された多数のノッチ１５（図２〜５）を含み、突出部８２はそれぞれ、ベース１０のノッチ１５と係合し、突出部８２およびスライド８０、８１をベース１０に固定するための舌部８８（図３、８）を含み、ばね８９が突出部８２と係合して、突出部８２の舌部８８を付勢してベース１０のノッチ１５と係合させる。
【００２１】
ハウジング４３、６３およびウェイト３０およびプレート５０がベース１０の空間１１に係合すると（図２〜３、５〜６）、ハウジング４３、６３は突起８２と係合して、舌部８８をベース１０のノッチ１５から係合解除し、スライド８０、８１をベース１０に対して移動させることができる。
【００２２】
ウェイト３０およびプレート５０はベース１０の空間１１に係合されてもよく、ハンドル４０、６０はウェイト３０とプレート５０との間に係合されてもよい（図１〜３、９）。この時点で、ハウジング４３、６３を突起８２と係合させて、舌部８８をベース１０のノッチ１５から係合解除することができる。
【００２３】
ハウジング４３、６３がベース１０に係合されると（図２〜３、５〜６）、突起８２はキャッチ４６、４７のフォロワ７１およびラッチ６６、６７をハンドル４０、６０のシート４５、６５、３４、５４およびウェイト３０およびプレート５０から係合解除し、キャッチ４６、４７およびラッチ６６、６７をハウジング４３、６３およびウェイト３０のキーホール４４、６４、３３、５３およびプレート５０を通して移動させるために、フォロワ７１と係合することができる。
【００２４】
ハウジング４３、６３およびウェイト３０およびプレート５０がベース１０から分離された場合、ばね７２は、フォロワ７１がシート４５、６５、３４、５３のハンドル４０、６０およびウェイト３０とキャッチ４６、４７およびラッチ６６、６７をウェイト３０およびプレート５０に固定するためのシート５０に従属させるように付勢してもよい。
【符号の説明】
【００２５】
３  第１のダンベル、１０  ベース、１１  第１の空間および第２の空間、３０  第１のウェイトおよび第２のウェイト、４０  ハンドル、４１  ボア、４６  第１のキャッチ、４７  第２のキャッチ、８０  第１のスライド、８１  第２のスライド、８５  ノブ
【図１】
0003225432.tif 000003
【図２】
0003225432.tif 000004
【図３】
0003225432.tif 000005
【図４】
0003225432.tif 000006
【図５】
0003225432.tif 000007
【図６】
0003225432.tif 000008
【図７】
0003225432.tif 000009
【図８】
0003225432.tif 000010
【図９】
0003225432.tif 000011
【図１０】
0003225432.tif 000012
【図１１】
0003225432.tif 000013
【図１２】
0003225432.tif 000014